(57)【要約】      （修正有）【課題】身体の異なる箇所に同時に振動によるトレーニングを施すことができると共に、使用上の利便性及び実用性を向上させた多機能振動式トレーニング装置を提供する。【解決手段】内部に振動発生器が設置される主要振動部材と、フレーム部材と結合され、且つ前記主要振動部材の一側に設けられ、上面が該主要振動部材の上面より高い位置に設けられる、内部に少なくとも１つの振動発生器を備える側面振動部材と、を有することを特徴とする。【選択図】図１
0003167884.tif 000002
【実用新案登録請求の範囲】
【請求項１】
内部に振動発生器が設置される主要振動部材と、
フレーム部材と結合され、且つ前記主要振動部材の一側に設けられ、上面が該主要振動部材の上面より高い位置に設けられる、内部に少なくとも１つの振動発生器を備える側面振動部材と、を有することを特徴とする多機能振動式トレーニング装置。
【請求項２】
前記主要振動部材の内部に２つの振動発生器が設置されることを特徴とする請求項１に記載の多機能振動式トレーニング装置。
【請求項３】
前記フレーム部材と結合され、且つ主要振動部材の一側に設けられる１つの側面振動部材を有することを特徴とする請求項１に記載の多機能振動式トレーニング装置。
【請求項４】
前記フレーム部材と結合され、且つ主要振動部材の一側に設けられる１つの側面振動部材を有することを特徴とする請求項２に記載の多機能振動式トレーニング装置。
【請求項５】
夫々が前記フレーム部材と結合され、且つ主要振動部材の両側に設けられる２つの側面振動部材を有することを特徴とする請求項１に記載の多機能振動式トレーニング装置。
【請求項６】
夫々が前記フレーム部材と結合され、且つ主要振動部材の両側に設けられる２つの側面振動部材を有することを特徴とする請求項２に記載の多機能振動式トレーニング装置。
【請求項７】
さらに前記主要振動部材に、該主要振動部材と共に振動する手すりが設けられることを特徴とする請求項１乃至６の何れか一項に記載の多機能振動式トレーニング装置。
【請求項８】
さらに前記主要振動部材の両側にそれぞれ、該主要振動部材と共に振動する手すりが設けられることを特徴とする請求項１乃至６の何れか一項に記載の多機能振動式トレーニング装置。
【請求項９】
さらに前記側面振動部材に、該側面振動部材と共に振動する少なくとも１つの手すりが設けられることを特徴とする請求項１乃至６の何れか一項に記載の多機能振動式トレーニング装置。
【請求項１０】
前記手すりは、前記側面振動部材の後部中央に設けられる内フレームと、上端が該内フレームに結合されると共に、下端の２つの端部が夫々該側面振動部材の両側に結合される外フレームとを有することを特徴とする請求項９に記載の多機能振動式トレーニング装置。
【請求項１１】
前記手すりの外フレームには、中央に向かって延出する複数の連結ロッドが設けられることを特徴とする請求項１０に記載の多機能振動式トレーニング装置。
【請求項１２】
前記手すりは、前記側面振動部材の両側に設けられ、上方へ向かって延出する２つの上向きフレームからなることを特徴とする請求項９に記載の多機能振動式トレーニング装置。
【請求項１３】
さらに前記フレーム部材に少なくとも１つの手すりが設けられることを特徴とする請求項１乃至６の何れか一項に記載の多機能振動式トレーニング装置。
【請求項１４】
前記フレーム部材に少なくとも１つの補助踏板が設けられることを特徴とする請求項１乃至６の何れか一項に記載の多機能振動式トレーニング装置。
【請求項１５】
前記フレーム部材における、前記主要振動部材の両側にそれぞれ、相対するように補助踏板が設けられることを特徴とする請求項１４に記載の多機能振動式トレーニング装置。
【考案の詳細な説明】
【技術分野】
【０００１】
本考案は、特に複数の振動部材を設けることにより、使用者のニーズに応えることができる多機能振動式トレーニング装置に関するものである。
【背景技術】
【０００２】
従来の振動式トレーニング装置は、主に振動部材と、該振動部材の一側に設けられる手すりを有し、該振動部材は、ケーシングとケーシングの内部に設けられる振動発生器を有するものである。また、前記振動発生器は、例えば、モーターにより偏心ブロック又はカムを駆動すると共に、偏心振動機構またはカム振動機構、音波リレー式振動機構、シーソー式振動機構、連動ロッド振動機構などにより振動波を発生させ、前記振動部材において振動効果を発生させるものである。
【０００３】
前記振動式トレーニング装置は、地面や床面に置いて使用するものであり、使用者は、両足又は片足で前記振動部材上に立ち、周波数や振幅などを設定してから、該振動部材の内部の振動発生器により上下垂直方向の振動効果を発生させる。この方法によれば、前記振動効果を使用者の足裏から身体の他の部位に伝達させて全身の筋肉を振動させることにより、神経及び筋肉を刺激することができる。また、姿勢を変えて、身体の他の部位を直接該振動部材に接触させることにより、筋肉を振動させる効果を得ることもできる。故に、前記振動式トレーニング装置は、運動選手の筋力などに対して用いることができると共に、一般人に対しても、運動や健康維持や促進のために全身のトレーニングなどに使用することができる。
【考案の概要】
【考案が解決しようとする課題】
【０００４】
一般に前記振動式トレーニング装置は、運動や健康維持や促進を目的とする全身に対するトレーニング機器であるが、前記従来の振動式トレーニング装置は、振動部材が１つしかないので、身体における異なる部位を振動部材に接触させてトレーニングするには、その度に姿勢を変えなくてはならないと共に、身体の異なる箇所に同時に異なる振動パターンの振動効果を与えることもできない。また、このような振動式トレーニング装置は、地面床面に置いて使用するものであることから、例えば肩や背中など、身体の一部の部位を地面や床面に置かれた振動部材に接触させることは、非常に困難であるので、使用上非常に不便である。
【０００５】
そこで、案出されたのが本考案であって、従来の振動式トレーニング装置の欠点を改善し、振動部材に接触させた身体の異なる部位に対して同時に振動式トレーニングを施すことができると共に、側面振動部材を主要振動部材より高い位置に設けることにより、無理のない姿勢で主要振動部材又は側面振動部材によるトレーニングを受けることができる多機能振動式トレーニング装置を提供することを目的としている。
【課題を解決するための手段】
【０００６】
本願の請求項１の考案は、内部に振動発生器が設置される主要振動部材と、
フレーム部材と結合され、且つ前記主要振動部材の一側に設けられ、上面が該主要振動部材の上面より高い位置に設けられる、内部に少なくとも１つの振動発生器を備える側面振動部材と、を有することを特徴とする多機能振動式トレーニング装置、を提供する。
【０００７】
本願の請求項２の考案は、前記主要振動部材の内部に２つの振動発生器が設置されることを特徴とする請求項１に記載の多機能振動式トレーニング装置、を提供する。
【０００８】
本願の請求項３の考案は、前記フレーム部材と結合され、且つ主要振動部材の一側に設けられる１つの側面振動部材を有することを特徴とする請求項１に記載の多機能振動式トレーニング装置、を提供する。
【０００９】
本願の請求項４の考案は、前記フレーム部材と結合され、且つ主要振動部材の一側に設けられる１つの側面振動部材を有することを特徴とする請求項２に記載の多機能振動式トレーニング装置、を提供する。
【００１０】
本願の請求項５の考案は、夫々が前記フレーム部材と結合され、且つ主要振動部材の両側に設けられる２つの側面振動部材を有することを特徴とする請求項１に記載の多機能振動式トレーニング装置、を提供する。
【００１１】
本願の請求項６の考案は、夫々が前記フレーム部材と結合され、且つ主要振動部材の両側に設けられる２つの側面振動部材を有することを特徴とする請求項２に記載の多機能振動式トレーニング装置、を提供する。
【００１２】
本願の請求項７の考案は、さらに前記主要振動部材に、該主要振動部材と共に振動する手すりが設けられることを特徴とする請求項１乃至６の何れか一項に記載の多機能振動式トレーニング装置、を提供する。
【００１３】
本願の請求項８の考案は、さらに前記主要振動部材の両側にそれぞれ、該主要振動部材と共に振動する手すりが設けられることを特徴とする請求項１乃至６の何れか一項に記載の多機能振動式トレーニング装置、を提供する。
【００１４】
本願の請求項９の考案は、さらに前記側面振動部材に、該側面振動部材と共に振動する少なくとも１つの手すりが設けられることを特徴とする請求項１乃至６の何れか一項に記載の多機能振動式トレーニング装置、を提供する。
【００１５】
本願の請求項１０の考案は、前記手すりは、前記側面振動部材の後部中央に設けられる内フレームと、上端が該内フレームに結合されると共に、下端の２つの端部が夫々該側面振動部材の両側に結合される外フレームとを有することを特徴とする請求項９に記載の多機能振動式トレーニング装置、を提供する。
【００１６】
本願の請求項１１の考案は、前記手すりの外フレームには、中央に向かって延出する複数の連結ロッドが設けられることを特徴とする請求項１０に記載の多機能振動式トレーニング装置、を提供する。
【００１７】
本願の請求項１２の考案は、前記手すりは、前記側面振動部材の両側に設けられ、上方へ向かって延出する２つの上向きフレームからなることを特徴とする請求項９に記載の多機能振動式トレーニング装置、を提供する。
【００１８】
本願の請求項１３の考案は、さらに前記フレーム部材に少なくとも１つの手すりが設けられることを特徴とする請求項１乃至６の何れか一項に記載の多機能振動式トレーニング装置、を提供する。
【００１９】
本願の請求項１４の考案は、前記フレーム部材に少なくとも１つの補助踏板が設けられることを特徴とする請求項１乃至６の何れか一項に記載の多機能振動式トレーニング装置、を提供する。
【００２０】
本願の請求項１５の考案は、前記フレーム部材における、前記主要振動部材の両側にそれぞれ、相対するように補助踏板が設けられることを特徴とする請求項１４に記載の多機能振動式トレーニング装置、を提供する。
【考案の効果】
【００２１】
本考案に係る多機能振動式トレーニング装置は上記の課題を解決するものであり、複数の振動部材（少なくとも１つの主要振動部材と１つの側面振動部材）を有するので、身体の異なる部位を同時に振動部材に接触させてトレーニングをすることができると共に、側面振動部材が主要振動部材より高い位置に設けられることから、無理のない姿勢で主要振動部材又は側面振動部材に接触させてトレーニングすることができるので、従来の振動式トレーニング装置のように無理な体勢でしか主要振動部材に接触させることができないと言った欠点を改善することができる。
【図面の簡単な説明】
【００２２】
【図１】本考案に係る多機能振動式トレーニング装置の第１実施例を示す斜視図である。
【図２】本考案に係る多機能振動式トレーニング装置の第１実施例を示す側面図である。
【図３】本考案に係る多機能振動式トレーニング装置の第１実施例を示す平面図である。
【図４】本考案に係る多機能振動式トレーニング装置の第２実施例を示す側面図である。
【図５】本考案に係る多機能振動式トレーニング装置の第３実施例を示す側面図である。
【図６】本考案に係る多機能振動式トレーニング装置の第４実施例を示す側面図である。
【図７】本考案に係る多機能振動式トレーニング装置の第５実施例を示す側面図である。
【図８】本考案に係る多機能振動式トレーニング装置の第６実施例を示す側面図である。
【図９】本考案に係る多機能振動式トレーニング装置の第６実施例を示す他の側面図である。
【図１０】本考案に係る多機能振動式トレーニング装置の第７実施例を示す側面図である。
【考案を実施するための形態】
【００２３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２４】
図１は本考案に係る多機能振動式トレーニング装置の第１実施例を示す斜視図であり、図２は本考案に係る多機能振動式トレーニング装置の第１実施例を示す側面図であり、図３は本考案に係る多機能振動式トレーニング装置の第１実施例を示す平面図であり、図４は本考案に係る多機能振動式トレーニング装置の第２実施例を示す側面図であり、図５は本考案に係る多機能振動式トレーニング装置の第３実施例を示す側面図であり、図６は本考案に係る多機能振動式トレーニング装置の第４実施例を示す側面図であり、図７は本考案に係る多機能振動式トレーニング装置の第５実施例を示す側面図であり、図８は本考案に係る多機能振動式トレーニング装置の第６実施例を示す側面図であり、図９は本考案に係る多機能振動式トレーニング装置の第６実施例を示す他の側面図であり、図１０は本考案に係る多機能振動式トレーニング装置の第７実施例を示す側面図である。
【００２５】
図１乃至図１０に示すように、本考案に係る多機能振動式トレーニング装置は、主要振動部材（１）と側面振動部材（２）とを有するものである。
【００２６】
前記主要振動部材（１）は、上部と下部との間に形成される内部空間に、少なくとも１つ振動発生器（１０）が設けられるものであり、該上部と下部との間には、さらに該上部と下部とを連結するための複数の弾性支持部材が設けられる。尚、既定の周波数及び振幅の振動効果を提供するために、前記主要振動部材（１）の内部に１つの振動発生器（１０）を設けてもよく、図２の実施例に示すように、互いに異なる２種類の振動周波数及び振幅を有する振動効果を提供するために、前記主要振動部材（１）の内部に２つの振動発生器（１０）を設けてもよい。また、前記振動発生器（１０）は、例えば、偏心振動機構、カム振動機構、シーソー式振動機構等機械式振動機構、または、音波リレー式振動機構、振動効果を提供し得る他の振動機構からなるものである。なお、本考案は、周知の技術に属する前記振動機構の設計の改良に重点を置くものではないので、前記振動機構に関する説明を省略する。故に、前記構成によれば、振動発生器（１０）は、振動周波数及び振幅を設定することにより、前記主要振動部材（１）を適当な振動周波数及び振幅で振動させることができる。
【００２７】
前記側面振動部材（２）においては、振動周波数及び振幅の設定によって使用者が希望する振動効果を出力する振動機構を設置することにより、該側面振動部材（２）に適当な振動周波数及び振幅を提供できる、１つの振動発生器を設けてもよい。
【００２８】
前記側面振動部材（２）は、フレーム部材（３）により前記主要振動部材（１）の一側に設けられ、該フレーム部材（３）は、側面振動部材（２）の上面を主要振動部材（１）の上面より高い位置に配置するために、該側面振動部材（２）を支持するものであり、さらに、該側面振動部材（２）に、複数の突起部（２１）を有し、その突起部（２１）に使用者の手や足、または他の部位に接触させてマッサージ効果を提供する振動接触部材（２０）を設けてもよい。
【００２９】
尚、前記主要振動部材（１）及び側面振動部材（２）の振動発生器は、例えば、オン・オフ動作の制御、振動周波数及び振幅を設定するために、前記振動発生器をコントロールためのコントローラと接続させてもよい。また、前記コントローラを本考案における多機能振動式トレーニング装置の外側に設けてもよく、または図８及び図９に示す実施例のように多機能振動式トレーニング装置の内部に設けてもよい。
【００３０】
図１乃至図３に示すように、本考案に係る多機能振動式トレーニング装置の第１実施例は、主要振動部材（１）と、該主要振動部材（１）の周囲を取り囲むように設けられるフレーム部材（３）と、該フレーム部材（３）により主要振動部材（１）に設置される１つの側面振動部材（２）とを有し、該フレーム部材（３）は、主要振動部材（１）の一側から上方へ向かって延出される支持部（３０）を有し、また、該側面振動部材（２）は、支持部（３０）に設けられ、該フレーム部材（３）は、側面振動部材（２）の上面を主要振動部材（１）の上面より高い位置に設けるために、該側面振動部材（２）を支持するものである。
【００３１】
図４に示すように、本考案に係る多機能振動式トレーニング装置の第２実施例は、主要振動部材（１）の周囲を取り囲むように設けられるフレーム部材（３）と、該フレーム部材（３）により主要振動部材（１）に設置される２つの側面振動部材（２）を有し、該フレーム部材（３）は、主要振動部材（１）における相対する両側（または反対する側）から夫々上方へ向かって延出される２つの支持部（３０）を有すると共に、該２つの側面振動部材（２）は、前記支持部（３０）に設けられ、該フレーム部材（３）は、２つの側面振動部材（２）の上面を主要振動部材（１）の上面より高い位置に設けるために２つの側面振動部材（２）を支持するものである。尚、前記２つの側面振動部材（２）は同じ高さに位置させてもよいが、異なる高さに位置させても構わない。図４に示す実施例においては、前記２つの側面振動部材（２）を同じ高さに位置させている。
【００３２】
図５乃至図１０に示すように、本考案に係る多機能振動式トレーニング装置は、さらに主要振動部材（１）と共に振動するように、該主要振動部材（１）に設けられる少なくとも１つの手すり（４）を有し、尚、１つの側面振動部材（２）を有する実施形態や２つの側面振動部材（２）を有する実施形態においては、前記主要振動部材（１）または側面振動部材（２）と同時に振動するように、前記手すり（４）を主要振動部材（１）または側面振動部材（２）に設けてもよく、該手すり（４）をフレーム部材（３）に設けても構わない。
【００３３】
以下、図面を参照して１つの側面振動部材（２）を有する実施例を例として説明する。また、２つの側面振動部材（２）を用いる場合には、該側面振動部材（２）を相対する位置または反対する位置に設けてもよい。
【００３４】
図５に示す、本考案に係る多機能振動式トレーニング装置の実施例は、側面振動部材（２）の両側に位置する、フレーム部材（３）から上方へ向かって延出する支持部（３０）を備える１つの手すり（４）を有する構成である。
【００３５】
図６に示す、本考案に係る多機能振動式トレーニング装置の実施例は、主要振動部材（１）と共に振動するように該主要振動部材（１）に設けられる手すり（４）を有する構成である。尚、該手すり（４）は、主要振動部材（１）における、側面振動部材（２）の近傍に位置する側に設けてもよいが主要振動部材（１）における、側面振動部材（２）から離れた側に設けてもよい。
【００３６】
図７に示す、本考案に係る多機能振動式トレーニング装置の実施例は、主要振動部材（１）と共に振動するように、夫々該主要振動部材（１）に設けられる２つの手すり（４）を有する構成である。尚、前記主要振動部材（１）の両側にはそれぞれ手すり（４）が設けられることが好ましい。
【００３７】
図８及び図９に示す、本考案に係る多機能振動式トレーニング装置の実施例は、側面振動部材（２）と共に振動するように側面振動部材（２）に設けられる１つの手すり（４）を有するものである。尚、２つの側面振動部材（２）を有する多機能振動式トレーニング装置の実施例においては、夫々２つの側面振動部材（２）にそれぞれ手すり（４）を設けてもよい。また、前記手すり（４）は、側面振動部材（２）の外側中央部に設けられる内フレーム（４１）と、上端が該内フレーム（４１）に結合されると共に、下端の２つの端部が夫々側面振動部材（２）の内側両側に設けられる外フレーム（４２）とを有するものである。
【００３８】
更に、図９に示すように、手すり（４）の外フレーム（４２）には、中央に向かって延出する複数の連結ロッド（４３）が設けられ、主要振動部材（１）及び側面振動部材（２）が電気接続され、オン・オフ動作の制御、及び使用者が希望する振動周波数及び振幅の設定をするためのコントローラ（５）が、該側面振動部材（２）の上方に位置する該連結ロッド（４３）に設けられる。
【００３９】
図１０に示す、本考案に係る多機能振動式トレーニング装置の実施例は、１つの手すり（４）を有し、該手すり（４）は、側面振動部材（２）の両側に設けられ、上方へ向かって延出する２つの上向きフレーム（４４）を有するものである。尚、２つの側面振動部材（２）を有する多機能振動式トレーニング装置の実施例においては、２つの側面振動部材（２）にそれぞれ手すり（４）を設けてもよい。
【００４０】
図１乃至図１０に示すように、本考案に係る多機能振動式トレーニング装置は、フレーム部材（３）に、使用者が乗るための少なくとも１つの補助踏板（３１）が設けられ、また、図１及び図３に示す第１実施例においては、フレーム部材（３）における、主要振動部材（１）の両側にそれぞれ、対応し合う２つの補助踏板（３１）が設けられると共に、該フレーム部材（３）の下部に床面に当接する複数のパッド（３２）が設けられる。尚、前記パッド（３２）は、フレーム部材（３）と一体構造であることが好ましい。また、パッド（３２）は、前記且つ高さ調整可能な構造であってもよい。さらに、該フレーム部材（３）の下部に複数のパッド（３２）が設けることが好ましい。この構成によれば、本考案に係る多機能振動式トレーニング装置を床面に置く時、パッド（３２）により高さ調整を行うことができるので、より安定した状態で使用することができる。
【００４１】
前記各実施例を使用する時は、単に使用者が主要振動部材（１）上に立ち又は座るだけで、該主要振動部材（１）の内部における振動発生器（１０）で足裏または臀部に対して振動を伝えることにより、筋肉を振動させることができるので、神経及び筋肉に対して刺激を与えてマッサージ効果を提供することができる。また、主要振動部材（１）上に立って使用する時は、身体（例えば背中、腰、腹部、手など）を側面振動部材（２）に当てれば、該側面振動部材（２）の内部における振動発生器により、接触箇所に振動を与えることができる。更に、手で手すり（４）を握持すれば、手すり（４）を通して、主要振動部材（１）または側面振動部材（２）による振動を受けることができる。
【産業上の利用可能性】
【００４２】
本考案は上記の構成を有することから、振動効果を提供する主要振動部材及び側面振動部材を結合させ、さらに該主要振動部材又は側面振動部材に手すりを設けることにより、使用者に対して、身体の異なる部位に同時に振動によるトレーニングを施すことができる。また、本考案に係る多機能振動式トレーニング装置の主要振動部材と側面振動部材とは異なる高さに位置することから、使用者は好みの姿勢で主要振動部材又は側面振動部材に身体の一部を接触させることができるので、従来の振動式トレーニング装置における、姿勢を変えなければ主要振動部材に接触させることができないと言った使用上の欠点を改善することができる。故に、本考案は使用利便性や実用性に優れたものと言える。
【符号の説明】
【００４３】
１・・・・・・・主要振動部材
１０・・・・・・振動発生器
２・・・・・・・側面振動部材
２０・・・・・・振動接触部材
２１・・・・・・突起部
３・・・・・・・フレーム部材
３０・・・・・・支持部
３１・・・・・・補助踏板
３２・・・・・・パッド
４・・・・・・・手すり
４１・・・・・・内フレーム
４２・・・・・・外フレーム
４３・・・・・・連結ロッド
４４・・・・・・上向きフレーム
【図１】
0003167884.tif 000003
【図２】
0003167884.tif 000004
【図３】
0003167884.tif 000005
【図４】
0003167884.tif 000006
【図５】
0003167884.tif 000007
【図６】
0003167884.tif 000008
【図７】
0003167884.tif 000009
【図８】
0003167884.tif 000010
【図９】
0003167884.tif 000011
【図１０】
0003167884.tif 000012